(57)【要約】      （修正有）【課題】脚杆に損傷を与えることなく、幕板を必要に応じて簡単に後付けのできる装置を提供する。【解決手段】脚杆１の後端面１ａに、相対する一対の内壁面２ａ，２ａが奥端に至るに従って互いに離開して傾斜する取付溝２を縦設する。該取付溝２の一方の前記内壁面２ａを係離する圧接部片９を前記取付溝２に係合した第一ブロック４と、他の一方の前記内壁面２ａを係離する圧接部片１２を前記取付溝２に係合した第二ブロック１０を、円弧状の凹凸面を係合させて互いに重ね合わせる。そして、第一ブロック４に設けた貫通孔７に緩く貫通させた締付けボルト１３の先端を第二ブロック１０に設けたねじ穴１４に螺合して両ブロック体１，１０を重ね合わせ方向に締付け、第一ブロック４に取付けボルト１５を螺合して幕板３を締め付ける。【選択図】図２
2006158491.tif 000002
【特許請求の範囲】
【請求項１】
脚杆の周側面に、相対する一対の内壁面が奥端に至るに従って互いに離開して傾斜する取付溝を縦設し、該取付溝の一方の前記内壁面を係離する圧接部片を前記取付溝に係合した第一ブロックと、他の一方の前記内壁面を係離する圧接部片を前記取付溝に係合した第二ブロックを、円弧状の凹凸面を係合させて互いに回動可能に重ね合わせ、第一ブロックに設けた貫通孔に緩く貫通させた締付けボルトの先端を第二ブロックに設けたねじ穴に螺合して両ブロック体を重ね合わせ方向に締付けると共に、前記第一ブロックに取付けボルトを螺合して幕板その他の物品を締め付けた、机などの家具における脚杆の幕板その他の物品後付け装置。
【発明の詳細な説明】
【技術分野】
【０００１】
本発明は、例えば、机の脚杆に幕板を後付けとして組付ける際に適用する、机などの家具における脚杆の幕板その他の物品の後付け装置に関するものである。
【背景技術】
【０００２】
机の脚杆に取付部材を介して幕板をビス止めした構造のものがある（例えば、特許文献１）。
【０００３】
【特許文献１】特開２００３−２６５２３６号公報
【発明の開示】
【発明が解決しようとする課題】
【０００４】
前記従来例を挙げるまでもなく、机に幕板を設けるには、該幕板を机の脚杆にビス止めするのが一般で、従来例によれば、幕板の大きさに合わせて脚杆側の適所にねじ孔を設ける必要があり、従って幕板を後付け（必要に応じて）するに際しては対応できる工具を要するのみならず、孔開けのための誤作業を考えたときはその作業がきわめて煩雑である。
【０００５】
本発明は、脚杆に損傷を与えることなく、幕板などの物品を必要に応じて簡単に後付けのできる装置を提供すべく創案したものである。
【課題を解決するための手段】
【０００６】
脚杆の周側面に、相対する一対の内壁面が奥端に至るに従って互いに離開して傾斜する取付溝を縦設し、該取付溝の一方の前記内壁面を係離する圧接部片を前記取付溝に係合した第一ブロックと、他の一方の前記内壁面を係離する圧接部片を前記取付溝に係合した第二ブロックを、円弧状の凹凸面を係合させて互いに回動可能に重ね合わせ、第一ブロックに設けた貫通孔に緩く貫通させた締付けボルトの先端を第二ブロックに設けたねじ穴に螺合して両ブロック体を重ね合わせ方向に締付けると共に、前記第一ブロックに取付けボルトを螺合して幕板その他の物品を締め付けた構成としたものである。
【発明の効果】
【０００７】
本発明によれば、脚杆の高さ方向の適所にブロックを自在に選択して取付け、このブロックに取付けボルトによって締付けて幕板などの物品を机などの家具に後付けして装置することができる。また、脚杆に損傷を与えることなく、従って、損傷による外観体裁の低減が生じないから、幕板の有無を自在に選択できる机を提供できる。さらに、種々の大きさ（高さ幅）の幕板を選択して取付けられるから利用者の趣味感に応じることができる。
【実施例】
【０００８】
図面は本発明に係る机などの家具における脚杆の幕板その他の物品の後取付け装置の一実施例を示し、図１は幕板を取付けた状態の机の一部側面図、図２は図１ａ−ａ線断面図、図３は取付具Ａの正面図である。
【０００９】
図中、１は机の天板の後端側の２隅に配した一方の脚杆で、脚杆１は、他の一方の脚杆と同形の、押出しアルミ形材で構成し、円弧状凹面形の後端面１ａに一対の取付溝２，２を左右対称的にして縦設したものである。
【００１０】
取付溝２，２は、該取付溝２，２間で相対する位置に存する内壁面２ａ，２ａを該取付溝２の奥端に至るに従って互いに離開する傾斜状とし、しかも、全体として傾斜溝状としたものであるが、各取付溝２の前記内壁面２ａに相対する他の内壁面２ｂを省略して前記内壁面２ａ，２ａを備えた単一な溝で取付溝を構成しても良い。
【００１１】
幕板３は、この取付溝２の内壁面２ａを利用して前記脚杆１に組付けた、第一、第二、のブロック４，１０で成る物品取付具Ａを介して天板１８の後端側の２隅に配した脚杆１，１間にわたして取付けられる。
【００１２】
第一ブロック４は、脚杆１の円弧状凹面形を成す前記後端面１ａと部分的に一致する先端面５ａを備えた円柱状のブロック主体５に、その周側面の一側から前記先端面５ａに渉る奥壁面６ａが断面円弧状の凹入部６を設け、該凹入部６の奥壁面６ａの中間部（前記円弧状に沿う方向の）には、これに相対する前記ブロック主体５の周側面の他の一側に通じる、前記奥壁面６ａ側を小径にした貫通孔７を設け、また、該貫通孔７と直交する、ブロック主体５の軸線上には、螺子孔８をブロック主体５の前記先端面５ａに相対する後端面５ｂを開口して設け、更に、先端面５ａに前記凹入部６のほぼ延長上位置にして、凹入部６の幅とほぼ同幅の圧接部片９を突設し、該圧接部片９を前記取付溝２の傾斜状とほぼ同方向の傾斜状として取付溝２に係合し、内壁面２ａに係離できるようにしてある。
【００１３】
第二ブロック１０は、第一ブロック４に設けた前記凹入部６とほぼ同大、同形にしたブロック主体１１の先端面１１ａを、第一ブロック４のブロック主体５の先端面５ａと同様に脚杆１側の前記後端面１ａの円弧形と部分的に一致する円弧状凸面形と成し、該先端面１１ａに、第一ブロック４側の前記圧接部片９を係合する一方の取付溝２と反対方向に傾斜する他の一方の取付溝２の傾斜状とほぼ同方向の傾斜状として該取付溝２に係合し、内壁面２ａに係離する圧接部片１２を突設したものである。
【００１４】
すなわち、第二ブロック１０は、前記凹入部６の幅径とほぼ同径を成し、該凹入部６の円弧状の奥端面６ａとほぼ一致する円弧状とした一側面１１ｂを備え、該一側面１１ｂに相対する他の一側面１１ｃを、第一ブロック４の主体５の、断面円形の周側面と部分的に一致する断面欠円形の円弧面として先端面１１ａに前記圧接部片１２を備えたもので、円弧状の前記一側面１１ｂの中間部には、前記貫通孔７に緩く貫通させて頭部１３ａを該貫通孔７の大径部に係止する締付けボルト１３の先端を螺合するねじ穴１４を設けたものである。
【００１５】
しかして、脚杆１の一方の取付溝２に第一ブロック４の圧接部片９を嵌装し、第二ブロック１０側の一側面１１ｂと凹入部６の奥端面６ａが摺接するようにして、第一ブロック４の凹入部６に組合わせた第二ブロック１０を、一側面１１ｂが奥端面６ａに沿って移（回）動させながら、第二ブロック１０側の圧接部片１２を、他の一方の取付溝２に嵌装し、第一ブロック４側の貫通孔７を通じて締付けボルト１３の先端を第二ブロック１０側のねじ穴１４に螺合締付けると、緩く組合わされていた第一、第二のブロック４，１０は互いに締め付けられ、互いに締付ける締付けボルト１３は第一ブロック４側の貫通孔７に対し緩く貫通してあるため、貫通孔７とねじ穴１４の軸線がわずかにずれ、両ブロック４，１０は互いに回動し（奥端面６ａを一側面１１ｂが相対的に摺動し）、その結果、圧接部片９，１２は取付溝２の内壁面２ａに圧接し、第一、第二のブロック４，１０は互いに組付けられた状態で脚杆１の所望の高さ位置で固定、取付けられる。
【００１６】
天板の後端側に配した一対の脚杆１の上下にこのようにして取付けた第一ブロック４の後端面５ｂに幕板３を重ね合わせ、該幕板３を通じて取付けボルト１５をブロック１の前記螺子孔８に螺合締付けることにより、幕板３は机に取付けられるのである。
【００１７】
なお、第一ブロック４と第二ブロック１０とで成る物品取付具Ａは、互いに並設した一対の脚杆のそれぞれの上下２個所に取付けて通常用いるが、幕板の素材、重量次第では、単一な脚杆に単数又は複数個用いても差し支えがない。
【００１８】
また、請求項でいう第一ブロックは、実施例でいう第二ブロック１０でも不都合はない（従って、第二ブロックは、第一ブロック４でも）し、実施例では脚杆１を机（の天板）の前後方向に配し、すなわち、脚杆１の後端面１ａを文字通り後端に配し、これに幕板３を後付け（取付け）するようにしてあるが、該脚杆１を左右方向に配して、幕板３に代る側板を取付けるようにしても良いし、幕板や側板に限らず筋交いその他の物品の後付けにも本発明は適用できるものである。
【図面の簡単な説明】
【００１９】
【図１】幕板を取付けた状態の机の一部側面図。
【図２】図１ａ−ａ線断面図。
【図３】取付具の正面図。
【符号の説明】
【００２０】
１      脚杆
１ａ    後端面
２      取付溝
２ａ    内壁面
３      幕板
４      第一ブロック
７      貫通孔
９      圧接部片
１０    第二ブロック
１２    圧接部片
１３    締付けボルト
１４    ねじ穴
１５    取付ボルト
【図１】
2006158491.tif 000003
【図２】
2006158491.tif 000004
【図３】
2006158491.tif 000005